【手続補正書】
【提出日】平成27年3月5日(2015.3.5)
【手続補正１】
【補正対象書類名】明細書
【補正対象項目名】００２２
【補正方法】変更
【補正の内容】
【００２２】
次に図１〜４を参照すると、真空接続壁１４０に連結されたときのマルチポート弁アセンブリ１６０を示している。可動封止板１７０は、横断ポート封止面１４１（可動封止板１７０の下面）を有し得る。一実施形態では、横断ポート封止面１４１は略平坦である。横断ポート封止面１４１は、（図２に示す）閉状態では複数の真空ポート１４２と完全にオーバラップし、（図４に示す）部分開状態では複数の真空ポート１４２と部分的にオーバラップし、（図３に示す）開状態では複数の真空ポート１４２と略オーバラップしないような、形状および大きさとすることができる。可動封止板１７０は、一体構造を有することができ、少なくとも２つの封止ローブ１４４を含むことができる。可動封止板１７０が閉状態にあるときに、封止ローブ１４４はそれぞれ、真空ポート１４２とオーバラップし得る。封止ローブ１４４は、対応する個々の真空ポート１４２とオーバラップするような、大きさおよび相互の相対位置とすることができる。図２〜４では、３つの真空ポート１４２を備える真空接続壁１４０を、３つの対応する封止ローブ１４４を備える封止板と共に示しているが、真空接続壁１４０は、任意の数の真空ポート１４２を、対応する数の封止ローブ１４４と共に備えることができる。例えば、図１０は、２つの真空ポート１４２を備える真空接続壁１４０を、２つの対応する封止ローブ１４４を備える可動封止板１７０と共に、概略的に示している。マルチポート弁アセンブリ１６０は、ベアリング・アセンブリ２００を含むことができる。ベアリング・アセンブリ２００は、可動封止板１７０と真空接続壁１４０との間など、可動封止板１７０の下に配置することができ、かつ真空接続壁１４０の上方に配置することができる。
【手続補正２】
【補正対象書類名】明細書
【補正対象項目名】００２４
【補正方法】変更
【補正の内容】
【００２４】
図２は、横断ポート封止面１４１が複数の真空ポート１４２と完全にオーバラップするように可動封止板１７０が配置されている閉状態のマルチポート弁アセンブリ１６０を示している。マルチポート弁アセンブリ１６０は、閉状態にあるときには、気密シールを形成し流体連通を制限することができる。図３は、可動封止板１７０が複数の真空ポート１４２に略オーバラップしないように配置されている開状態のマルチポート弁アセンブリ１６０を示している。マルチポート弁アセンブリ１６０は、開状態にあるときには、流体連通を略制限しない。図４は、可動封止板１７０が複数の真空ポート１４２に部分的にオーバラップするように配置されている部分開状態のマルチポート弁アセンブリ１６０を示している。マルチポート弁アセンブリ１６０は、部分開状態にあるときには、流体連通を部分的に制限する。部分開状態は、真空ポンプ１５０をスロットル調整するために利用することができる。
【手続補正３】
【補正対象書類名】明細書
【補正対象項目名】００２７
【補正方法】変更
【補正の内容】
【００２７】
可動封止板１７０は、封止係合／解除パスで動くことが可能とすることができる。本明細書で使用される場合の「係合パス」または「解除パス」とは、可動封止板１７０の封止面に主に垂直なパスを指す。例えば、図２〜４では、係合パスの方向は、略ｚ軸の方向である。可動封止板１７０は、少なくとも、約２ｍｍ、４ｍｍ、６ｍｍ、８ｍｍ、１０ｍｍ、１２ｍｍ、２０ｍｍ、５０ｍｍ、またはそれより長く、封止係合／解除パス方向に動くように作動し得る。一実施形態では、封止板は、約１０ｍｍから約１５ｍｍの間の長さを、封止係合／解除パスの方向に動くように作動する。
【手続補正４】
【補正対象書類名】明細書
【補正対象項目名】００４４
【補正方法】変更
【補正の内容】
【００４４】
次に図１０を参照すると、一実施形態において、横断アクチュエータは、機械的クランク１６４を含むことができる。機械的クランク１６４は、封止板１７０を横断方向に動かすように機能し得る。機械的クランク１６４は、可動封止板１７０に連結点１６５で連結されたクランク軸１６２を備えることができる。連結点１６５が可動封止板１７０のエッジに沿ってスライドすることを可能としながら、連結点１６５で、機械的クランク１６４を可動封止板１７０に機械的に連結することができる。クランク軸１６２は、回転することで、可動封止板１７０を横断方向に動かすことができる。クランク軸１６２は、回転することで、連結点１６５を可動封止板１７０のエッジに沿ってスライドさせて、動きを可動封止板１７０に伝えることができる。一実施形態では、クランク軸１６２は、プラズマ処理チェンバ１１０の外部からプラズマ処理チェンバ１１０の内部領域１２２に延出することができる。クランク軸１６２の回転は、モータまたは他の機械的手段によって制御することができる。
【手続補正５】
【補正対象書類名】明細書
【補正対象項目名】００５１
【補正方法】変更
【補正の内容】
【００５１】
特許請求の対象範囲から逸脱することなく、本明細書に記載の実施形態に対して種々の変形および変更を実施することができる。従って、本明細書は、本明細書に記載の種々の実施形態の変形および変更を、かかる変形および変更が添付の請求項およびそれらの均等物の範囲内にある限りにおいて、包含する。
適用例１：プラズマ処理チェンバと、プラズマ電極アセンブリと、ウェハステージと、プラズマ生成ガス導入口と、複数の真空ポートと、少なくとも１つの真空ポンプと、マルチポート弁アセンブリと、を備えるプラズマ処理装置において、前記プラズマ電極アセンブリおよび前記ウェハステージは、前記プラズマ処理チェンバ内に配置されており、前記プラズマ生成ガス導入口は、前記プラズマ処理チェンバと流体連通しており、前記真空ポンプは、前記真空ポートのうちの少なくとも１つを介して、前記プラズマ処理チェンバと流体連通しており、前記マルチポート弁アセンブリは、前記プラズマ処理チェンバ内に配置されている可動封止板を含み、前記可動封止板は、閉状態では前記複数の真空ポートと完全にオーバラップし、部分開状態では前記複数の真空ポートと部分的にオーバラップし、開状態では前記複数の真空ポートと略オーバラップしないような、形状および大きさになっている、横断ポート封止面を有し、前記マルチポート弁アセンブリは、前記可動封止板に連結されている横断アクチュエータを含み、前記横断アクチュエータは、閉状態と部分開状態と開状態との間で前記可動封止板を前記可動封止板の封止面に主に沿った向きである横断方向に移行させるのに十分な作動の横断範囲を規定しており、前記マルチポート弁アセンブリは、前記可動封止板に連結されている封止アクチュエータを含み、前記封止アクチュエータは、封止状態と非封止状態との間で前記可動封止板を前記可動封止板の封止面に対して主に垂直な方向を向く封止係合／解除パスに沿って往復で移行させるのに十分な作動の封止範囲を規定している、プラズマ処理装置。
適用例２：前記横断アクチュエータは、回転動アクチュエータを含み、前記可動封止板は、中心軸を有する回転可動封止板を含む、適用例１に記載のプラズマ処理装置。
適用例３：前記回転可動封止板は、複数の封止ローブを含み、前記封止ローブは、対応する個々の真空ポートとオーバラップするような、大きさおよび相互の相対位置になっている、適用例２に記載のプラズマ処理装置。
適用例４：前記可動封止板は、複数の真空ポートとオーバラップすることができる、適用例２に記載のプラズマ処理装置。
適用例５：前記マルチポート弁アセンブリは、さらに、前記横断方向、前記封止係合／解除パスの方向、またはその両方の、前記可動封止板の動きを制限するように機能するベアリング・アセンブリを含む、適用例１に記載のプラズマ処理装置。
適用例６：前記ベアリング・アセンブリは、軌道と、車輪を有する台車と、を含み、前記車輪は、前記軌道と前記可動封止板とに接触して、これらの間に配置されている、適用例５に記載のプラズマ処理装置。
適用例７：前記マルチポート弁アセンブリの少なくとも一部分は、静電帯電される、適用例１に記載のプラズマ処理装置。
適用例８：前記マルチポート弁アセンブリは、交互配置されたシール延出部を含むラビリンス設計を有し、少なくとも１つのシール延出部は、前記可動封止板から延出し、少なくとも１つのシール延出部は、前記可動封止板の封止面に対向するチェンバ部材から延出している、適用例１に記載のプラズマ処理装置。
適用例９：前記交互配置されたシール延出部のうちの少なくとも１つは、静電帯電される、適用例８に記載のプラズマ処理装置。
適用例１０：前記マルチポート弁アセンブリは、前記可動封止板と、前記可動封止板の封止面に対向するチェンバ部材と、の間に配置されている磁性流体を含む磁性流体シールを備える、適用例１に記載のプラズマ処理装置。
適用例１１：前記横断アクチュエータは、磁気アクチュエータ系を含む、適用例１に記載のプラズマ処理装置。
適用例１２：前記横断アクチュエータは、前記可動封止板に連結されているクランク軸を有する機械的クランクを含み、前記クランク軸は、回転することで、前記可動封止板を横断方向に動かし、前記クランク軸は、前記プラズマ処理チェンバの外部から前記プラズマ処理チェンバの内部に延出している、適用例１に記載のプラズマ処理装置。
適用例１３：前記横断アクチュエータおよび前記封止アクチュエータは、磁気アクチュエータ系を含む、適用例１に記載のプラズマ処理装置。
適用例１４：前記磁気アクチュエータ系は、前記可動封止板を浮上させるように機能する、適用例１３に記載のプラズマ処理装置。
適用例１５：前記プラズマ処理装置は、さらに、各真空ポートの周りに配置されたＯリングを有し、前記可動封止板が閉状態にあるときに、前記可動封止板は各Ｏリングと直接接触する、適用例１に記載のプラズマ処理装置。
適用例１６：プラズマ処理チェンバと、プラズマ電極アセンブリと、ウェハステージと、プラズマ生成ガス導入口と、複数の真空ポートと、少なくとも１つの真空ポンプと、マルチポート弁アセンブリと、を備えるプラズマ処理装置において、前記プラズマ電極アセンブリおよび前記ウェハステージは、前記プラズマ処理チェンバ内に配置されており、前記プラズマ生成ガス導入口は、前記プラズマ処理チェンバと流体連通しており、前記真空ポンプは、前記真空ポートのうちの少なくとも１つを介して、前記プラズマ処理チェンバと流体連通しており、前記マルチポート弁アセンブリは、前記プラズマ処理チェンバ内に配置されている可動封止板を含み、前記可動封止板は、閉状態では前記複数の真空ポートと完全にオーバラップし、部分開状態では前記複数の真空ポートと部分的にオーバラップし、開状態では前記複数の真空ポートと略オーバラップしないような、形状および大きさである、横断ポート封止面を有し、前記マルチポート弁アセンブリは、前記可動封止板に連結されている横断アクチュエータを含み、前記横断アクチュエータは、閉状態と部分開状態と開状態との間で前記可動封止板を前記可動封止板の封止面に主に沿った向きである横断方向に移行させるのに十分な作動の横断範囲を規定しており、前記横断アクチュエータは、回転動アクチュエータを含み、前記可動封止板は、中心軸を有する回転可動封止板を含み、前記マルチポート弁アセンブリは、前記可動封止板に連結されている封止アクチュエータを含み、前記封止アクチュエータは、封止状態と非封止状態との間で前記可動封止板を前記可動封止板の封止面に対して主に垂直な方向を向く封止係合／解除パスに沿って往復で移行させるのに十分な作動の封止範囲を規定している、プラズマ処理装置。
適用例１７：前記マルチポート弁アセンブリは、さらに、前記横断方向、前記封止係合／解除パスの方向、またはその両方の、前記可動封止板の動きを制限するように機能するベアリング・アセンブリを含む、適用例１６に記載のプラズマ処理装置。
適用例１８：前記ベアリング・アセンブリは、軌道と、車輪を有する台車と、を含み、前記車輪は、前記軌道と前記可動封止板とに接触して、これらの間に配置されている、適用例１７に記載のプラズマ処理装置。
適用例１９：前記マルチポート弁アセンブリの少なくとも一部分は、静電帯電される、適用例１６に記載のプラズマ処理装置。
適用例２０：前記マルチポート弁アセンブリは、交互配置されたシール延出部を含むラビリンス設計を有し、少なくとも１つのシール延出部は、前記可動封止板から延出し、少なくとも１つのシール延出部は、前記可動封止板の封止面に対向するチェンバ部材から延出している、適用例１６に記載のプラズマ処理装置。